(57)【特許請求の範囲】
【請求項１】
複数のアンテナを利用する最大比合成ダイバーシチ方式を適用し、前記各アンテナを通じて受信される受信信号に基づいてダイバーシチ処理を行うダイバーシチ受信装置において、
前記各アンテナを通じて受信された受信信号の伝送データを構成するユニークワード又はビット誤り検出符号に基づいてアンテナ別に妨害波の影響を検出する妨害波検出手段と、
前記複数のアンテナの内、前記妨害波検出手段により妨害波の影響が検出されたアンテナに受信された受信信号を前記ダイバーシチ処理で無効にし、前記妨害波検出手段により妨害波の影響が検出されなかったアンテナに受信された受信信号を前記ダイバーシチ処理で有効になるように制御する制御手段と、
を備えたことを特徴とするダイバーシチ受信装置。
【請求項２】
前記妨害波検出手段は、前記各アンテナを通じて受信された受信信号からユニークワードを検出し、そのユニークワードを検出できなかった場合を妨害波検出とし、そのユニークワードを検出できた場合を妨害波非検出とすることを特徴とする請求項１に記載のダイバーシチ受信装置。
【請求項３】
前記妨害波検出手段は、前記各アンテナを通じて受信された受信信号からビット誤り検出符号の正誤を判定し、そのビット誤り検出符号に誤りがあった場合を妨害波検出とし、そのビット誤り検出符号に誤りがなかった場合を妨害波非検出とすることを特徴とする請求項１に記載のダイバーシチ受信装置。
【請求項４】
前記妨害波検出手段は、前記各アンテナを通じて受信された受信信号からユニークワードを検出するユニークワード検出手段と、前記各アンテナを通じて受信された受信信号からビット誤り検出符号の正誤を判定するビット誤り検出符号判定手段と、前記ユニークワード検出手段によりユニークワードを検出できず、かつ前記ビット誤り検出符号判定手段の判定によりビット誤り検出符号に誤りがあった場合を妨害波検出と判定し、それ以外の場合を妨害波非検出と判定する判定手段とを有したことを特徴とする請求項１に記載のダイバーシチ受信装置。
【請求項５】
前記妨害波検出手段は、前記各アンテナを通じて受信された受信信号からユニークワードを検出するユニークワード検出手段と、前記各アンテナを通じて受信された受信信号からビット誤り検出符号の正誤を判定するビット誤り検出符号判定手段と、前記ユニークワード検出手段によるユニークワードの不検出と前記ビット誤り検出符号判定手段によるビット誤り検出符号の誤り判定との両方、もしくはいずれか一方が得られた場合を妨害波検出と判定し、それ以外の場合を妨害波非検出と判定する判定手段とを有したことを特徴とする請求項１に記載のダイバーシチ受信装置。
【請求項６】
前記妨害波検出手段は、前記判定手段により前記複数のアンテナすべてについて妨害波検出と判定された場合、前記各アンテナについて、前記ビット誤り検出符号判定手段によるビット誤り検出符号の正誤判定に基づき、そのビット誤り検出符号に誤りがあった場合を最終的に妨害波検出とし、そのビット誤り検出符号に誤りがなかった場合を最終的に妨害波非検出とすることを特徴とする請求項５に記載のダイバーシチ受信装置。
【請求項７】
前記制御手段は、前記各アンテナについて妨害波の検出回数をカウントし、該検出回数が一定回数に達したアンテナの受信信号を前記ダイバーシチ処理で無効にすることを特徴とする請求項１〜６のいずれか一つに記載のダイバーシチ受信装置。
【請求項８】
さらに、前記各アンテナの受信レベルと予め決められた閾値との比較により妨害波検出の実行可否を判定する判定手段を有し、前記妨害波検出手段は前記判定手段により実行可という判定結果が得られた場合にのみ妨害波の影響を検出することを特徴とする請求項１〜７のいずれか一つに記載のダイバーシチ受信装置。
【請求項９】
前記ダイバーシチ受信装置は、前記各アンテナの受信レベルと前記全アンテナの最大受信レベルとに基づいてアンテナ別の重み付け係数を生成する生成手段と、前記生成手段により生成されたアンテナ別の重み付け係数に基づいて前記各アンテナの受信信号に重み付けを行う重み付け手段とを含み、前記制御手段は、前記妨害波検出手段により妨害波の影響が検出されたアンテナの受信信号を前記ダイバーシチ処理で無効にするために、前記生成手段により生成された重み付け係数を制御することを特徴とする請求項１〜８のいずれか一つに記載のダイバーシチ受信装置。
【発明の詳細な説明】
【０００１】
【発明の属する技術分野】
この発明は、ダイバーシチ受信装置に関し、詳細には、スペースダイバーシチ方式を適用して無線受信を行うダイバーシチ受信装置に関する。
【０００２】
【従来の技術】
図１８は従来例によるスペースダイバーシチ方式を適用したダイバーシチ受信装置を示すブロック図である。このダイバーシチ受信装置は、図１８に示したように、第１ブランチ〜第ｎ（ｎは自然数）ブランチと、各ブランチに接続させて各ブランチの受信レベルに従って重み付け係数を生成する重み付け係数生成回路１５１と、各ブランチに接続させて各ブランチの出力を合成する合成回路１７１とを備えている。なお、このダイバーシチ受信装置は、スペースダイバーシチ方式の内、最大比合成ダイバーシチ方式を適用したものである。
【０００３】
各ブランチは、アンテナ、アンテナの出力および上記重み付け係数生成回路１５１の入力に結合された受信回路、受信回路の出力に結合された復調回路、並びに復調回路の出力、重み付け係数生成回路１５１の出力および合成回路１７１の入力に結合された重み付け回路により１つのアンテナ受信系を構成している。例えば、第１ブランチは、電波を捕捉するアンテナ１０１、その捕捉された電波から受信信号を取得する受信回路１１１、その取得された受信信号を復調する復調回路１２１、およびその復調信号に上記重み付け係数生成回路１５１から供給される重み付け係数を乗じて当ブランチの出力を求める重み付け回路１３１により構成される。
【０００４】
同様に、第２ブランチは、アンテナ１０２、受信回路１１２、復調回路１２２および重み付け回路１３２により構成され、第ｎブランチは、アンテナ１０３、受信回路１１３、復調回路１２３および重み付け回路１３３により構成される。
【０００５】
つぎに、動作について説明する。図１８に示したダイバーシチ受信装置では、各アンテナ１０１，１０２…１０３により電波が捕捉されると、その出力は対応する受信回路１１１，１１２…１１３において受信信号となる。各受信回路１１１，１１２…１１３では、その受信信号に基づいて受信レベルの測定が実施され、その測定された受信レベルは重み付け係数生成回路１５１に出力される。一方、各受信回路１１１，１１２…１１３で受信処理された受信信号は、後段の対応する復調回路１２１，１２２…１２３において復調され、復調信号としてさらに対応する重み付け回路１３１，１３２…１３３に出力される。
【０００６】
重み付け係数生成回路１５１では、各受信回路１１１，１１２…１１３から受信された受信レベルの最大レベルと各受信レベルとの比がブランチ別に求められ、その比が重み付け係数として対応する重み付け回路１３１，１３２…１３３に出力される。これにより、各重み付け回路１３１，１３２…１３３では、対応する復調回路１２１，１２２…１２３から入力した復調信号に重み付け係数生成回路１５１から供給される重み付け係数が掛け合わされ、ブランチ別にその乗算結果が合成回路１７１に出力される。この合成回路１７１では、各ブランチから出力される乗算結果が合成される。
【０００７】
【発明が解決しようとする課題】
上述した従来例によるダイバーシチ受信装置は、本装置以外の他の無線機器から妨害波の影響を受けた場合でも最大比合成ダイバーシチ処理を実施するようにしたので、妨害波による受信レベルが大きく、正規の受信データが破壊されたとしても、その妨害波による受信レベルが各ブランチにおける受信レベルの最大レベルとして利用されていた。このため、妨害波による受信レベルを基準にして重み付け係数が生成され、その重み付け係数により各ブランチの復調信号が重み付けされるので、合成回路１７１によって第１〜第ｎブランチの出力を合成したとしても、受信感度が劣化してダイバーシチ効果が減少してしまうという問題点があった。
【０００８】
この発明は、上述した従来例による問題を解消するため、最大比合成ダイバーシチ方式において、外部から妨害波の影響を受けてもダイバーシチ効果を失うことなく、良好な受信感度を得ることが可能なダイバーシチ受信装置を得ることを目的とする。
【０００９】
なお、スペースダイバーシチ方式の内の切り替えダイバーシチ方式では、妨害波の存在を判断するための近似技術として、特開平６−１４０１１号公報、同１８１４６５号公報、同３０３２１８号公報などがある。例えば、特開平６−１４０１１号公報には、伝送データ中の同期信号が検出できない場合に妨害波ありとみなしてアンテナ切り替えを行う技術が開示されている。同１８１４６５号公報には、マンチェスタ符号に符号化された伝送データの再生不可により妨害波ありとみなしてアンテナ切り替えを行う技術が開示されている。同３０３２１８号公報には、バーストにビット誤りが検出された場合に妨害波ありとみなしてアンテナ切り替えを行う技術が開示されている。
【００１０】
【課題を解決するための手段】
上述した課題を解決し、目的を達成するため、この発明に係るダイバーシチ受信装置は、複数のアンテナを利用する最大比合成ダイバーシチ方式を適用し、前記各アンテナを通じて受信される受信信号に基づいてダイバーシチ処理を行うダイバーシチ受信装置において、前記各アンテナを通じて受信された受信信号の伝送データを構成するユニークワード又はビット誤り検出符号に基づいてアンテナ別に妨害波の影響を検出する妨害波検出手段と、複数のアンテナの内、妨害波検出手段により妨害波の影響が検出されたアンテナに受信された受信信号をダイバーシチ処理で無効にし、妨害波検出手段により妨害波の影響が検出されなかったアンテナに受信された受信信号をダイバーシチ処理で有効になるように制御する制御手段と、を備えたことを特徴とする。
【００１１】
この発明によれば、各アンテナを通じて受信された受信信号のうちのユニークワード又はビット誤り検出符号に基づいてアンテナ別に妨害波の影響を検出し、複数のアンテナの内で妨害波の影響が検出されたアンテナに受信された受信信号をダイバーシチ処理で無効にし、一方、妨害波の影響が検出されなかったアンテナに受信された受信信号をダイバーシチ処理で有効になるように制御するようにしたので、妨害波の影響を受けた受信信号が最大比合成によるダイバーシチ処理に含まれず、良好な受信入力特性が得られる。その結果、外部から妨害波の影響を受けてもダイバーシチ効果を失うことなく、良好な受信感度を得ることが可能である。
【００１２】
つぎの発明に係るダイバーシチ受信装置は、妨害波検出手段が、各アンテナを通じて受信された受信信号からユニークワードを検出し、そのユニークワードを検出できなかった場合を妨害波検出とし、そのユニークワードを検出できた場合を妨害波非検出とすることを特徴とする。
【００１３】
この発明によれば、受信信号に含まれるユニークワードを妨害波検出に用いたので、データ本体の直前に妨害波の影響が検出され、このようにしても、妨害波の影響を受けた受信信号が最大比合成によるダイバーシチ処理に含まれず、良好な受信入力特性が得られる。その結果、外部から妨害波の影響を受けてもダイバーシチ効果を失うことなく、良好な受信感度を得ることが可能である。
【００１４】
つぎの発明に係るダイバーシチ受信装置は、妨害波検出手段が、各アンテナを通じて受信された受信信号からビット誤り検出符号の正誤を判定し、そのビット誤り検出符号に誤りがあった場合を妨害波検出とし、そのビット誤り検出符号に誤りがなかった場合を妨害波非検出とすることを特徴とする。
【００１５】
この発明によれば、受信信号に含まれるビット誤り検出符号を妨害波検出に用いたので、データ本体の直後に妨害波の影響が検出され、このようにしても、妨害波の影響を受けた受信信号が最大比合成によるダイバーシチ処理に含まれず、良好な受信入力特性が得られる。その結果、外部から妨害波の影響を受けてもダイバーシチ効果を失うことなく、良好な受信感度を得ることが可能である。
【００１６】
つぎの発明に係るダイバーシチ受信装置は、妨害波検出手段が、各アンテナを通じて受信された受信信号からユニークワードを検出するユニークワード検出手段と、各アンテナを通じて受信された受信信号からビット誤り検出符号の正誤を判定するビット誤り検出符号判定手段と、ユニークワード検出手段によりユニークワードを検出できず、かつビット誤り検出符号判定手段の判定によりビット誤り検出符号に誤りがあった場合を妨害波検出と判定し、それ以外の場合を妨害波非検出と判定する判定手段とを有したことを特徴とする。
【００１７】
この発明によれば、ユニークワードの検出およびビット誤り検出符号の正誤判定を行い、その結果、ユニークワードを検出できず、かつビット誤り検出符号に誤りがあった場合を妨害波検出と判定し、それ以外の場合を妨害波非検出と判定するようにしたので、ユニークワードの受信段階で妨害波の影響があっても一通りデータ本体が受信され、最終的にビット誤り検出符号の受信段階で妨害波の影響がなければ不用意にデータ本体を破棄しなくて済む。
【００１８】
つぎの発明に係るダイバーシチ受信装置は、妨害波検出手段が、各アンテナを通じて受信された受信信号からユニークワードを検出するユニークワード検出手段と、各アンテナを通じて受信された受信信号からビット誤り検出符号の正誤を判定するビット誤り検出符号判定手段と、ユニークワード検出手段によるユニークワードの不検出とビット誤り検出符号判定手段によるビット誤り検出符号の誤り判定との両方、もしくはいずれか一方が得られた場合を妨害波検出と判定し、それ以外の場合を妨害波非検出と判定する判定手段とを有したことを特徴とする。
【００１９】
この発明によれば、ユニークワードの検出およびビット誤り検出符号の正誤判定を行い、その結果、ユニークワードの不検出とビット誤り検出符号の誤り判定との両方、もしくはいずれか一方が得られた場合を妨害波検出と判定し、それ以外の場合を妨害波非検出と判定するようにしたので、ユニークワードの受信段階すなわちデータ本体の直前、もしくはビット誤り検出符号の受信段階すなわちデータ本体の直後にリアルタイムで妨害波の影響を防止することが可能である。
【００２０】
つぎの発明に係るダイバーシチ受信装置は、妨害波検出手段は、判定手段により複数のアンテナすべてについて妨害波検出と判定された場合、各アンテナについて、ビット誤り検出符号判定手段によるビット誤り検出符号の正誤判定に基づき、そのビット誤り検出符号に誤りがあった場合を最終的に妨害波検出とし、そのビット誤り検出符号に誤りがなかった場合を最終的に妨害波非検出とすることを特徴とする。
【００２１】
この発明によれば、複数のアンテナすべてについて妨害波検出と判定された場合、各アンテナについて、ビット誤り検出符号に誤りがあった場合を最終的に妨害波検出とし、そのビット誤り検出符号に誤りがなかった場合を最終的に妨害波非検出とするようにしたので、妨害波の影響を受けていないデータ本体を受信しているにも拘わらずデータ本体を無効にする不具合が回避され、受信状況に適したダイバーシチ処理を実現することが可能である。
【００２２】
つぎの発明に係るダイバーシチ受信装置は、制御手段は、各アンテナについて妨害波の検出回数をカウントし、この検出回数が一定回数に達したアンテナの受信信号をダイバーシチ処理で無効にすることを特徴とする。
【００２３】
この発明によれば、各アンテナについて妨害波の検出回数をカウントし、この検出回数が一定回数に達したアンテナの受信信号をダイバーシチ処理で無効にするようにしたので、インパルスノイズなどによって発生するランダムなビット誤りに対して不用意に受信信号を無効にする不具合を回避することが可能である。
【００２４】
つぎの発明に係るダイバーシチ受信装置は、さらに、各アンテナの受信レベルと予め決められた閾値との比較により妨害波検出の実行可否を判定する判定手段を有し、妨害波検出手段は判定手段により実行可という判定結果が得られた場合にのみ妨害波の影響を検出することを特徴とする。
【００２５】
この発明によれば、各アンテナの受信レベルと予め決められた閾値との比較結果に応じて妨害波の影響を検出する、もしくは検出しないようにしたので、例えばユニークワードの不検出やビット誤り検出符号の誤り判定が妨害波の影響ではなく、受信レベルが低いために生じる誤った妨害波検出が無視され、これによって、不用意に受信信号を無効にする不具合を回避することが可能である。
【００２６】
つぎの発明に係るダイバーシチ受信装置は、ダイバーシチ受信装置は、各アンテナの受信レベルと全アンテナの最大受信レベルとに基づいてアンテナ別の重み付け係数を生成する生成手段と、生成手段により生成されたアンテナ別の重み付け係数に基づいて各アンテナの受信信号に重み付けを行う重み付け手段とを含み、制御手段は、妨害波検出手段により妨害波の影響が検出されたアンテナの受信信号をダイバーシチ処理で無効にするために、生成手段により生成された重み付け係数を制御することを特徴とする。
【００２７】
この発明によれば、各アンテナの受信レベルと全アンテナの最大受信レベルとに基づいてアンテナ別の重み付け係数を生成し、妨害波の影響が検出されたアンテナについて、そのアンテナの受信信号に重み付けする重み付け係数を制御して、その受信信号をダイバーシチ処理で無効にするようにしたので、データ処理でダイバーシチ処理に対する受信信号の有効、無効を操作することが可能である。
【００２８】
【発明の実施の形態】
以下に添付図面を参照して、この発明に係るダイバーシチ受信装置の好適な実施の形態を詳細に説明する。
【００２９】
（実施の形態１）
図１はこの発明に係る実施の形態１によるダイバーシチ受信装置を示すブロック図である。このダイバーシチ受信装置は、図１に示したように、第１ブランチ〜第ｍ（ｍは自然数）ブランチと、各ブランチに接続させて各ブランチの受信レベルに従って重み付け係数を生成する重み付け係数生成回路５１と、各ブランチに接続させて各ブランチの出力を合成する合成回路７１とを備えている。なお、このダイバーシチ受信装置は、スペースダイバーシチ方式の内、最大比合成ダイバーシチ方式を適用したものである。
【００３０】
各ブランチは、アンテナ、アンテナの出力および上記重み付け係数生成回路５１の入力に結合された受信回路、この受信回路の出力に結合された復調回路、この復調回路の出力および制御回路の入力に結合された妨害波検出回路、この妨害波検出回路の出力、重み付け係数生成回路５１の出力および重み付け回路の入力に結合された制御回路、並びに復調回路の出力、制御回路の出力および合成回路７１の入力に結合された重み付け回路により１つのアンテナ受信系を構成している。
【００３１】
例えば、第１ブランチは、電波を捕捉するアンテナ１、その捕捉された電波から受信信号を取得する受信回路１１、その取得された受信信号を復調する復調回路２１、その復調信号に基づいて妨害波の影響を検出する妨害波検出回路４１、その検出結果を示す検出信号に基づいて重み付け係数生成回路５１から供給される重み付け係数をスルーさせるか否かを制御する制御回路６１、および復調回路２１から出力される復調信号に制御回路６１から供給される重み付け係数を乗じて当ブランチの出力を求める重み付け回路３１により構成される。
【００３２】
同様に、第２ブランチは、アンテナ２、受信回路１２、復調回路２２、重み付け回路３２、妨害波検出回路４２および制御回路６２により構成され、第ｍブランチは、アンテナ３、受信回路１３、復調回路２３、重み付け回路３３、妨害波検出回路４３および制御回路６３により構成される。
【００３３】
つぎに、動作について説明する。図１に示したダイバーシチ受信装置では、各アンテナ１，２…３により電波が捕捉されると、その出力は対応する受信回路１１，１２…１３において受信信号となる。各受信回路１１，１２…１３では、その受信信号に基づいて受信レベルの測定が実施され、その測定された受信レベルは重み付け係数生成回路５１に出力される。一方、各受信回路１１，１２…１３で受信処理された受信信号は、後段の対応する復調回路２１，２２…２３において復調され、復調信号としてさらに対応する重み付け回路３１，３２…３３に出力される。また、復調回路２１，２２…２３の復調信号は、それぞれ対応する妨害波検出回路４１，４２…４３にも出力される。
【００３４】
各妨害波検出回路４１，４２…４３は、それぞれ対応する復調回路２１，２２…２３から入力された復調信号に基づいて妨害波の影響を受けているか否かを検出する。妨害波検出回路４１，４２…４３のいずれかで妨害波が検出された場合には、その妨害波検出回路が所属するブランチをダイバーシチ処理から切り離すため、その妨害波検出回路は後段の制御回路に対して妨害波検出ありを示す検出信号を出力する。
【００３５】
例えば、第１ブランチだけが妨害波の影響を受けた場合には、妨害波検出回路４１は後段の制御回路４１に対して妨害波検出ありを示す検出信号を出力する。これにより、制御回路６１は、入力された検出信号に基づいて重み付け回路３１に対して復調回路２１からの復調信号が無効になるように制御する。その制御動作の詳細については、後述する。もちろん、第１ブランチ以外の各ブランチにおいては、妨害波の影響がないことから、妨害波検出回路４２…４３はそれぞれ後段の制御回路４２…４３に対して妨害波検出無しを示す検出信号を出力する。
【００３６】
さて、重み付け係数生成回路５１では、各受信回路１１，１２…１３から受信された受信レベルの最大レベルと各受信レベルとの比がブランチ別に求められ、その比が重み付け係数として対応する制御回路６１，６２…６３に出力される。これにより、上述の如く第１ブランチだけが妨害波の影響を受けていれば、制御回路６１を除く他の制御回路６２…６３だけが対応する重み付け回路３２…３３に重み付け係数生成回路５１から入力した重み付け係数を出力する。
【００３７】
重み付け回路３２…３３では、それぞれに対応する復調回路２２…２３から入力した復調信号に重み付け係数生成回路５１から供給される重み付け係数が掛け合わされ、ブランチ別にその乗算結果が合成回路７１に出力される。この合成回路７１では、各ブランチから出力される乗算結果が合成される。このように、最大比合成ダイバーシチ処理が実施される。
【００３８】
つぎに、制御回路の動作について詳述する。図２は実施の形態１による制御動作を説明するフローチャートである。各制御回路６１，６２…６３には、前段の妨害波検出回路４１，４２…４３からは妨害波検出結果として検出信号が入力され（ステップＳ１）、重み付け係数生成回路５１からは最大比に応じてブランチ別に重み付け係数が入力される（ステップＳ２）。
【００３９】
そして、入力された検出信号に基づいて妨害波の影響を受けているか否かの検出が行われる（ステップＳ３）。その結果、妨害波の影響があれば、その妨害波の影響を受けたブランチを後の合成回路７１における合成処理に含めないように切り離すため、重み付け係数生成回路５１から受け取った重み付け係数は“０”に変更され（ステップＳ４）、その重み付け係数“０”が後段の重み付け回路に出力される（ステップＳ５）。なお、妨害波の影響がないブランチについては（ステップＳ３）、重み付け係数生成回路５１から受け取った重み付け係数がそのまま後段の重み付け回路に出力される（ステップＳ５）。
【００４０】
したがって、前述した一例のように、第１ブランチが妨害波の影響を受けた場合には、制御回路６１は、重み付け係数生成回路５１から受け取った重み付け係数を“０”にしてから後段の重み付け回路３１に出力することになる。その結果、重み付け回路３１では、復調回路２１から入力した復調信号に“０”が掛け合わされるので、その演算結果は“０”値となって合成回路７１に出力される。すなわち、合成回路７１においては、第１ブランチから入力した重み付け結果は“０”値として処理される。このため、第１ブランチの出力はダイバーシチ処理に加味されず、除外（無効）扱いと同等になる。
【００４１】
以上説明したように、実施の形態１によれば、各アンテナ１，２…３を通じて受信された受信信号に基づいてブランチ（アンテナ）別に妨害波の影響を検出し、複数のブランチ（アンテナ）の内で妨害波の影響が検出されたブランチ（アンテナ）に受信された受信信号をダイバーシチ処理で無効にし、一方、妨害波の影響が検出されなかったブランチ（アンテナ）に受信された受信信号をダイバーシチ処理で有効になるように制御するようにしたので、妨害波の影響を受けた受信信号が最大比合成によるダイバーシチ処理に含まれず、良好な受信入力特性が得られる。その結果、外部から妨害波の影響を受けてもダイバーシチ効果を失うことなく、良好な受信感度を得ることが可能である。
【００４２】
また、各アンテナの受信レベルと全アンテナの最大受信レベルとに基づいてブランチ（アンテナ）別の重み付け係数を生成し、妨害波の影響が検出されたブランチ（アンテナ）について、そのブランチ（アンテナ）の受信信号に重み付けする重み付け係数を制御して、その受信信号をダイバーシチ処理で無効にするようにしたので、データ処理でダイバーシチ処理に対する受信信号の有効、無効を操作することが可能である。
【００４３】
（実施の形態２）
さて、前述の実施の形態１は、妨害波検出回路について詳述していなかったが、以下に説明する実施の形態２のように、妨害波の検出にユニークワードを用いてもよい。なお、この実施の形態２でも、全体構成を前述した実施の形態１の構成（図１参照）とすることから、以下に相違する構成についてのみ説明し、共通する構成については同様の番号を用いてその説明を省略する。
【００４４】
まず、伝送原理について説明する。図３は実施の形態２による伝送データのフォーマット例を示す図である。図３に示した伝送データは、プリアンブル（ＰＲ）、ユニークワード（図中、ＵＷで示す）、データ本体（図中、ＤＡＴＡで示す）および巡回生成符号（図中、ＣＲＣ（Ｃｙｃｌｉｃ  Ｒｅｄｕｎｄａｎｃｙ  Ｃｈｅｃｋ）で示す）により構成される。この伝送データはバースト状にしてダイバーシチ受信装置に伝送されるデータである。
【００４５】
ここで、プリアンブルＰＲとは、受信信号からクロックを再生し、ビット同期を確立する信号である。ユニークワードＵＷとは、各スロットのフレーム同期のための信号である。データ本体ＤＡＴＡとは、伝送すべき情報により構成されるものである。巡回生成符号ＣＲＣ（以下にＣＲＣ符号と称する）とは、ビット誤り検出符号の１つであり、ユニークワードＵＷの直後からＣＲＣ符号の直前までのデータ本体ＤＡＴＡのビット列の誤りを検出するための信号である。
【００４６】
つぎに、構成について説明する。図４は実施の形態２によるダイバーシチ受信装置の要部を示すブロック図である。図４には、ダイバーシチ受信装置の第１ブランチだけが代表として示されている。この第１ブランチでは、前述の妨害波検出回路４１がユニークワード検出回路４１Ａによって構成される。ユニークワード検出回路４１Ａは、復調回路２１から出力された復調信号ＤＭに基づいてプリアンブルＰＲ直後に配置されるユニークワードＵＷを検出する回路である。
【００４７】
この実施の形態２では、全体の動作が前述の実施の形態１と同様のため、ここでは第１ブランチの特徴となる動作についてのみ説明する。なお、この説明には、第１ブランチの制御回路６１の動作説明を加味する。図５は実施の形態２による制御動作を説明するフローチャートである。
【００４８】
図４に示した第１ブランチにおいて、ユニークワード検出回路４１Ａでは、復調回路２１から入力した復調信号ＤＭに基づいてユニークワードＵＷの検出が行われる。その結果、ユニークワードＵＷの検出ができれば、ユニークワード検出フラグＵＦＧは“１”にセットされ、一方、検出ができなければ、ユニークワード検出フラグＵＦＧは“０”にリセットされる。このようにして、ユニークワード検出フラグＵＦＧは、後段の制御回路６１に出力される。
【００４９】
このとき、制御回路６１では、妨害波検出回路４１からはユニークワード検出フラグＵＦＧが入力され（ステップＳ２１）、重み付け係数生成回路５１からは重み付け係数ＣＦ１が入力される（ステップＳ２２）。そして、ユニークワード検出フラグＵＦＧが“１”であれば（ステップＳ２３）、入力された重み付け係数ＣＦ１はそのままの状態で重み付け回路３１に出力される（ステップＳ２６）。一方、ユニークワード検出フラグＵＦＧが“０”であれば（ステップＳ２３）、入力された重み付け係数ＣＦ１の値は強制的に“０”に変更され、その変更後の重み付け係数はＣＦ２となる（ステップＳ２４）。そして、この重み付け係数ＣＦ２は重み付け回路３１に出力される（ステップＳ２５）。
【００５０】
重み付け回路３１においては、制御回路６１から重み付け係数ＣＦ２が入力された場合、復調回路２１から入力した復調信号に“０”が掛け合わされるので、その重み付け結果ＢＤは“０”値（無効値）となって合成回路７１に出力される。その結果、合成回路７１においては、第１ブランチの出力はダイバーシチ処理に加味されず、除外（無効）扱いと同等になる。一方、制御回路６１から重み付け係数ＣＦ１が入力された場合、復調回路２１から入力した復調信号に重み付け係数ＣＦ１の値がそのまま掛け合わされるので、その重み付け結果ＢＤは有効値となって合成回路７１に出力される。その結果、合成回路７１においては、第１ブランチの出力はダイバーシチ処理に加味される。
【００５１】
以上説明したように、実施の形態２によれば、受信信号に含まれるユニークワードを妨害波検出に用いたので、データ本体ＤＡＴＡの直前に妨害波の影響が検出され、このようにしても、妨害波の影響を受けた受信信号が最大比合成によるダイバーシチ処理に含まれず、良好な受信入力特性が得られる。その結果、外部から妨害波の影響を受けてもダイバーシチ効果を失うことなく、良好な受信感度を得ることが可能である。
【００５２】
（実施の形態３）
さて、前述の実施の形態１は、妨害波検出回路について詳述していなかったが、以下に説明する実施の形態３のように、妨害波の検出にビット誤り検出符号を用いてもよい。なお、この実施の形態３でも、全体構成を前述した実施の形態１の構成（図１参照）とすることから、以下に相違する構成についてのみ説明し、共通する構成については同様の番号を用いてその説明を省略する。また、伝送データのフォーマットは、前述の実施の形態２と同様のフォーマットを適用し、同様の記号を使用する。
【００５３】
つぎに、構成について説明する。図６は実施の形態３によるダイバーシチ受信装置の要部を示すブロック図である。図６には、ダイバーシチ受信装置の第１ブランチだけが代表として示されている。この第１ブランチでは、前述の妨害波検出回路４１がＣＲＣ符号判定回路４１Ｂによって構成される。ＣＲＣ符号判定回路４１Ｂは、復調回路２１から出力された復調信号ＤＭに基づいてデータ本体ＤＡＴＡ直後に配置されるＣＲＣ符号の正誤を判定する回路である。
【００５４】
この実施の形態３では、全体の動作が前述の実施の形態１と同様のため、ここでは第１ブランチの特徴となる動作についてのみ説明する。なお、この説明には、第１ブランチの制御回路６１の動作説明を加味する。図７は実施の形態３による制御動作を説明するフローチャートである。
【００５５】
図６に示した第１ブランチにおいて、ＣＲＣ符号判定回路４１Ｂでは、復調回路２１から入力した復調信号ＤＭに基づいてＣＲＣ符号の正誤の判定が行われる。その結果、ＣＲＣ符号が正しければ、ＣＲＣ符号判定フラグＣＦＧは“１”にセットされ、一方、誤りがあれば、ＣＲＣ符号判定フラグＣＦＧは“０”にリセットされる。このようにして、ＣＲＣ符号判定フラグＣＦＧは、後段の制御回路６１に出力される。
【００５６】
このとき、制御回路６１では、妨害波検出回路４１からはＣＲＣ符号判定フラグＣＦＧが入力され（ステップＳ３１）、重み付け係数生成回路５１からは重み付け係数ＣＦ１が入力される（ステップＳ３２）。そして、ＣＲＣ符号判定フラグＣＦＧが“１”であれば（ステップＳ３３）、入力された重み付け係数ＣＦ１はそのままの状態で重み付け回路３１に出力される（ステップＳ３６）。一方、ＣＲＣ符号判定フラグＣＦＧが“０”であれば（ステップＳ３３）、入力された重み付け係数ＣＦ１の値は強制的に“０”に変更され、その変更後の重み付け係数はＣＦ２となる（ステップＳ３４）。そして、この重み付け係数ＣＦ２は重み付け回路３１に出力される（ステップＳ３５）。
【００５７】
重み付け回路３１においては、制御回路６１から重み付け係数ＣＦ２が入力された場合、復調回路２１から入力した復調信号に“０”が掛け合わされるので、その重み付け結果ＢＤは“０”値（無効値）となって合成回路７１に出力される。その結果、合成回路７１においては、第１ブランチの出力はダイバーシチ処理に加味されず、除外（無効）扱いと同等になる。一方、制御回路６１から重み付け係数ＣＦ１が入力された場合、復調回路２１から入力した復調信号に重み付け係数ＣＦ１の値がそのまま掛け合わされるので、その重み付け結果ＢＤは有効値となって合成回路７１に出力される。その結果、合成回路７１においては、第１ブランチの出力はダイバーシチ処理に加味される。
【００５８】
以上説明したように、実施の形態３によれば、受信信号に含まれるビット誤り検出符号を妨害波検出に用いたので、データ本体ＤＡＴＡの直後に妨害波の影響が検出され、このようにしても、妨害波の影響を受けた受信信号が最大比合成によるダイバーシチ処理に含まれず、良好な受信入力特性が得られる。その結果、外部から妨害波の影響を受けてもダイバーシチ効果を失うことなく、良好な受信感度を得ることが可能である。
【００５９】
（実施の形態４）
さて、前述の実施の形態１は、妨害波検出回路について詳述していなかったが、以下に説明する実施の形態４のように、妨害波の検出にユニークワードやビット誤り検出符号を用いてもよい。なお、この実施の形態４でも、全体構成を前述した実施の形態１の構成（図１参照）とすることから、以下に相違する構成についてのみ説明し、共通する構成については同様の番号を用いてその説明を省略する。
【００６０】
まず、構成について説明する。図８は実施の形態４によるダイバーシチ受信装置の要部を示すブロック図である。図８には、ダイバーシチ受信装置の第１ブランチだけが代表として示されている。この第１ブランチでは、前述の妨害波検出回路４１に代って妨害波検出回路４５が設けられる。この妨害波検出回路４５は、ユニークワード検出回路４１Ａと同様の構成および機能を有するユニークワード検出回路４５Ａと、ＣＲＣ符号判定回路４１Ｂと同様の構成および機能を有するＣＲＣ符号判定回路４５Ｂと、ユニークワード検出回路４５ＡおよびＣＲＣ符号判定回路４５Ｂの出力をＮＯＲ処理するＮＯＲ回路４５Ｃとにより構成される。
【００６１】
ここで、妨害波検出回路４５による妨害波検出方法について説明する。図９は実施の形態４による妨害波検出方法を説明する図である。図９には、ユニークワード検出フラグＵＦＧおよびＣＲＣ符号判定フラグＣＦＧの入力と、妨害波検出フラグＪＦＧの出力間の入出力関係が示されている。妨害波検出フラグＪＦＧとは、ＮＯＲ回路４５ＣのＮＯＲ処理結果を示している。妨害波検出フラグＪＦＧが“１”の場合に妨害波検出ありを示し、“０”の場合を妨害波検出無しを示す。
【００６２】
妨害波検出回路４５において、ＮＯＲ回路４５Ｃは、図９に示したように、ユニークワード検出回路４５Ａが出力するユニークワード検出フラグＵＦＧが“０”であり、かつＣＲＣ符号判定回路４５Ｂが出力するＣＲＣ符号判定フラグＣＦＧが“０”である場合にのみ、妨害波検出フラグＪＦＧを“１”すなわち妨害波検出ありとして出力する。したがって、妨害波検出回路４５では、ユニークワードＵＷの不検出とＣＲＣ符号の誤りとが両立した場合にだけ妨害波の影響を受けたものとして判断が下される。
【００６３】
この実施の形態４では、全体の動作が前述の実施の形態１と同様のため、ここでは第１ブランチの特徴となる動作についてのみ説明する。なお、この説明には、第１ブランチの制御回路６１の動作説明を加味する。図１０は実施の形態４による制御動作を説明するフローチャートである。
【００６４】
図８に示した第１ブランチにおいて、ユニークワード検出回路４５Ａでは、復調回路２１から入力した復調信号ＤＭに基づいてユニークワードＵＷの検出が行われる。その結果、ユニークワードＵＷの検出ができれば、ユニークワード検出フラグＵＦＧは“１”にセットされ、一方、検出ができなければ、ユニークワード検出フラグＵＦＧは“０”にリセットされる。このようにして、ユニークワード検出フラグＵＦＧは、ＮＯＲ回路４５Ｃに出力される。
【００６５】
一方、ＣＲＣ符号判定回路４５Ｂでは、ユニークワード検出回路４５Ａに入力された復調信号ＤＭと同じ信号に基づいてＣＲＣ符号の正誤の判定が行われる。その結果、ＣＲＣ符号が正しければ、ＣＲＣ符号判定フラグＣＦＧは“１”にセットされ、一方、誤りがあれば、ＣＲＣ符号判定フラグＣＦＧは“０”にリセットされる。このようにして、ＣＲＣ符号判定フラグＣＦＧは、ＮＯＲ回路４５Ｃに出力される。
【００６６】
ＮＯＲ回路４５Ｃでは、ユニークワード検出回路４５Ａが出力するユニークワード検出フラグＵＦＧが“０”であり、かつＣＲＣ符号判定回路４５Ｂが出力するＣＲＣ符号判定フラグＣＦＧが“０”であれば、妨害波検出フラグＪＦＧは“１”にセットされた後、後段の制御回路６１に出力される。また、ユニークワード検出フラグＵＦＧとＣＲＣ符号判定フラグＣＦＧとのいずれか一方、もしくはその両方が妨害波の影響を受けていないことを示していた場合、妨害波検出フラグＪＦＧは“０”にセットされた後、後段の制御回路６１に出力される。
【００６７】
このとき、制御回路６１では、妨害波検出回路４５からは妨害波検出フラグＪＦＧが入力され（ステップＳ４１）、重み付け係数生成回路５１からは重み付け係数ＣＦ１が入力される（ステップＳ４２）。そして、妨害波検出フラグＪＦＧが“０”であれば（ステップＳ４３）、入力された重み付け係数ＣＦ１はそのままの状態で重み付け回路３１に出力される（ステップＳ４６）。一方、妨害波検出フラグＪＦＧが“１”であれば（ステップＳ４３）、入力された重み付け係数ＣＦ１の値は強制的に“０”に変更され、その変更後の重み付け係数はＣＦ２となる（ステップＳ４４）。そして、この重み付け係数ＣＦ２は重み付け回路３１に出力される（ステップＳ４５）。
【００６８】
重み付け回路３１においては、制御回路６１から重み付け係数ＣＦ２が入力された場合、復調回路２１から入力した復調信号に“０”が掛け合わされるので、その重み付け結果ＢＤは“０”値（無効値）となって合成回路７１に出力される。その結果、合成回路７１においては、第１ブランチの出力はダイバーシチ処理に加味されず、除外（無効）扱いと同等になる。一方、制御回路６１から重み付け係数ＣＦ１が入力された場合、復調回路２１から入力した復調信号に重み付け係数ＣＦ１の値がそのまま掛け合わされるので、その重み付け結果ＢＤは有効値となって合成回路７１に出力される。その結果、合成回路７１においては、第１ブランチの出力はダイバーシチ処理に加味される。
【００６９】
以上説明したように、実施の形態４によれば、ユニークワードＵＷの検出およびＣＲＣ符号の正誤判定を行い、その結果、ユニークワードＵＷを検出できず、かつＣＲＣ符号に誤りがあった場合を妨害波検出と判定し、それ以外の場合を妨害波非検出と判定するようにしたので、ユニークワードＵＷの受信段階で妨害波の影響があっても一通りデータ本体ＤＡＴＡが受信され、最終的にＣＲＣ符号の受信段階で妨害波の影響がなければ不用意にデータ本体を破棄しなくて済む。
【００７０】
（実施の形態５）
さて、前述の実施の形態１は、妨害波検出回路について詳述していなかったが、以下に説明する実施の形態５のように、前述の実施の形態４とは異なる形態で妨害波の検出にユニークワードやビット誤り検出符号を用いてもよい。なお、この実施の形態５でも、全体構成を前述した実施の形態１の構成（図１参照）とすることから、以下に相違する構成についてのみ説明し、共通する構成については同様の番号を用いてその説明を省略する。
【００７１】
まず、構成について説明する。図１１は実施の形態５によるダイバーシチ受信装置の要部を示すブロック図である。図１１には、ダイバーシチ受信装置の第１ブランチだけが代表として示されている。この第１ブランチでは、前述の妨害波検出回路４１に代って妨害波検出回路４６が設けられる。この妨害波検出回路４６は、ユニークワード検出回路４１Ａと同様の構成および機能を有するユニークワード検出回路４６Ａと、ＣＲＣ符号判定回路４１Ｂと同様の構成および機能を有するＣＲＣ符号判定回路４６Ｂと、ユニークワード検出回路４６ＡおよびＣＲＣ符号判定回路４６Ｂの出力をＮＡＮＤ処理するＮＡＮＤ回路４６Ｃとにより構成される。
【００７２】
ここで、妨害波検出回路４６による妨害波検出方法について説明する。図１２は実施の形態５による妨害波検出方法を説明する図である。図１２には、ユニークワード検出フラグＵＦＧおよびＣＲＣ符号判定フラグＣＦＧの入力と、妨害波検出フラグＪＦＧの出力間の入出力関係が示されている。妨害波検出フラグＪＦＧとは、ＮＡＮＤ回路４６ＣのＮＡＮＤ処理結果を示している。妨害波検出フラグＪＦＧが“１”の場合に妨害波検出ありを示し、“０”の場合を妨害波検出無しを示す。
【００７３】
妨害波検出回路４６において、ＮＡＮＤ回路４６Ｃは、図１２に示したように、ユニークワード検出回路４６Ａが出力するユニークワード検出フラグＵＦＧが“１”であり、かつＣＲＣ符号判定回路４６Ｂが出力するＣＲＣ符号判定フラグＣＦＧが“１”であるときにだけ、妨害波検出フラグＪＦＧを“０”すなわち妨害波検出無しとして出力する。したがって、妨害波検出回路４６では、ユニークワードＵＷの不検出とＣＲＣ符号の誤りとが両立した場合、もしくは、ユニークワードＵＷの不検出とＣＲＣ符号の誤りとのいずれか一方が成立した場合に、妨害波の影響を受けたものとして判断が下される。
【００７４】
この実施の形態５では、全体の動作が前述の実施の形態１と同様のため、ここでは第１ブランチの特徴となる動作についてのみ説明する。なお、この説明には、第１ブランチの制御回路６１の動作は、前述の実施の形態４で説明した手順で実施されるため、その説明を省略する。
【００７５】
図１１に示した第１ブランチにおいて、ユニークワード検出回路４６Ａでは、復調回路２１から入力した復調信号ＤＭに基づいてユニークワードＵＷの検出が行われる。その結果、ユニークワードＵＷの検出ができれば、ユニークワード検出フラグＵＦＧは“１”にセットされ、一方、検出ができなければ、ユニークワード検出フラグＵＦＧは“０”にリセットされる。このようにして、ユニークワード検出フラグＵＦＧは、ＮＡＮＤ回路４６Ｃに出力される。
【００７６】
一方、ＣＲＣ符号判定回路４６Ｂでは、ユニークワード検出回路４６Ａに入力された復調信号ＤＭと同じ信号に基づいてＣＲＣ符号の正誤の判定が行われる。その結果、ＣＲＣ符号が正しければ、ＣＲＣ符号判定フラグＣＦＧは“１”にセットされ、一方、誤りがあれば、ＣＲＣ符号判定フラグＣＦＧは“０”にリセットされる。このようにして、ＣＲＣ符号判定フラグＣＦＧは、ＮＡＮＤ回路４６Ｃに出力される。
【００７７】
ＮＡＮＤ回路４６Ｃでは、ユニークワード検出回路４６Ａが出力するユニークワード検出フラグＵＦＧが“１”であり、かつＣＲＣ符号判定回路４６Ｂが出力するＣＲＣ符号判定フラグＣＦＧが“１”であれば、妨害波検出フラグＪＦＧは“０”にセットされた後、後段の制御回路６１に出力される。また、ユニークワード検出フラグＵＦＧとＣＲＣ符号判定フラグＣＦＧとのいずれか一方、もしくはその両方が妨害波の影響を受けていることを示していた場合、妨害波検出フラグＪＦＧは“１”にセットされた後、後段の制御回路６１に出力される。
【００７８】
以降、制御回路６１において、前述した実施の形態４と同様に、妨害波検出フラグＪＦＧの値に応じて重み付けが制御され、その制御を受けた重み付け回路３１は重み付け結果ＢＤを合成回路７１へ出力する。
【００７９】
以上説明したように、実施の形態５によれば、ユニークワードＵＷの検出およびＣＲＣ符号の正誤判定を行い、その結果、ユニークワードＵＷの不検出とＣＲＣ符号の誤り判定との両方、もしくはいずれか一方が得られた場合を妨害波検出と判定し、それ以外の場合を妨害波非検出と判定するようにしたので、ユニークワードＵＷの受信段階すなわちデータ本体ＤＡＴＡの直前、もしくはＣＲＣ符号の受信段階すなわちデータ本体ＤＡＴＡの直後にリアルタイムで妨害波の影響を防止することが可能である。
【００８０】
（実施の形態６）
さて、前述の実施の形態５では全ブランチから妨害波の影響が検出された場合にそのまま全ブランチの受信が無効となるが、以下に説明する実施の形態６のように、全ブランチから妨害波の影響が検出された場合に最終的にＣＲＣ符号の正誤によりブランチから妨害波を検出するようにしてもよい。ここでは、実施の形態５と相違する構成およびその動作についてのみ説明する。
【００８１】
まず、構成について説明する。図１３は実施の形態６によるダイバーシチ受信装置の要部を示すブロック図である。図１３には、ダイバーシチ受信装置の第１ブランチと要部だけが代表として示されている。この第１ブランチでは、前述の妨害波検出回路４１に代って妨害波検出回路４７が設けられる。
【００８２】
妨害波検出回路４７は、ユニークワード検出回路４１Ａと同様の構成および機能を有するユニークワード検出回路４７Ａ、ＣＲＣ符号判定回路４１Ｂと同様の構成および機能を有するＣＲＣ符号判定回路４７Ｂ、ユニークワード検出回路４７ＡおよびＣＲＣ符号判定回路４７Ｂの出力をＮＡＮＤ処理するＮＡＮＤ回路４７Ｃ、インバータ４７Ｄ、スイッチ４７Ｅにより構成される。
【００８３】
この妨害波検出回路４７において、ユニークワード検出回路４７Ａ、ＣＲＣ符号判定回路４７ＢおよびＮＡＮＤ回路４７Ｃは、前述の実施の形態５による妨害波検出を行う構成である。ＮＡＮＤ回路４７Ｃの出力は、ＡＮＤ回路８１の入力にも結合されるとともに、スイッチ４７Ｅの端子ａに結合される。ＣＲＣ符号判定回路４７Ｂの出力は、ＮＡＮＤ回路４７Ｃに結合されるとともに、インバータ４７Ｄを介してスイッチ４７Ｅの端子ｂにも接続される。
【００８４】
インバータ４７Ｄは、ＣＲＣ符号判定回路４７Ｂの出力を反転して端子ｂに出力する。この反転操作は、ＣＲＣ符号が正しかった場合（ＣＲＣ符号判定フラグＣＦＧは“１”となる）を妨害波の影響無し、すなわち妨害波検出フラグＪＦＧＢ“０”として制御回路６１に出力できるようにするために実施される。また、この反転操作は、ＣＲＣ符号が誤っていた場合（ＣＲＣ符号判定フラグＣＦＧは“０”となる）を妨害波の影響あり、すなわち妨害波検出フラグＪＦＧＢ“１”として制御回路６１に出力できるようにするために実施される。
【００８５】
スイッチ４７Ｅは、後述するＡＮＤ回路８１から指示される選択信号ＳＥＬに応じ制御回路６１に対する妨害波検出フラグの出力を端子ａもしくは端子ｂに切り替える。端子ａには、ＮＡＮＤ回路４７Ｃの出力すなわち妨害波検出フラグＪＦＧＡが入力され、端子ｂには、ＣＲＣ符号判定回路４７Ｂの出力すなわちＣＲＣ符号判定フラグＣＦＧがインバータ４７Ｄにより反転されて入力される。
【００８６】
また、実施の形態６によるダイバーシチ受信装置は、図１３に示したように、ＡＮＤ回路８１が設けられている。このＡＮＤ回路８１は、その入力が各ブランチのＮＡＮＤ回路（第１ブランチではＮＡＮＤ回路４７Ｃとなる）に接続され、各ＮＡＮＤ回路から妨害波検出フラグＪＦＧＡを入力してＡＮＤ処理を実施する。
【００８７】
このＡＮＤ回路８１は、妨害波検出フラグＪＦＧＡ…がすべて“１”であった場合、各ブランチの妨害波検出回路内のスイッチ（第１ブランチではスイッチ４７Ｅとなる）に対して端子ｂ側を選択する選択信号ＳＥＬを出力する。また、ＡＮＤ回路８１は、妨害波検出フラグＪＦＧＡ…がすべて“１”でなかった場合、各ブランチの妨害波検出回路内のスイッチ（第１ブランチではスイッチ４７Ｅとなる）に対して端子ａ側を選択する選択信号ＳＥＬを出力する。
【００８８】
つぎに、ダイバーシチ受信装置全体の回路動作について簡略して説明する。図１４は実施の形態６による制御動作を説明するフローチャートである。各ブランチにおいてデータ受信および復調が行われた後（ステップＳ５１）、ＡＮＤ回路８１により各ブランチの妨害波検出フラグＪＦＧＡに基づいて全ブランチで妨害波が検出されたか否か判定される（ステップＳ５２）。
【００８９】
その結果、全ブランチで妨害波が検出された場合には、ＡＮＤ回路８１の出力すなわち選択信号ＳＥＬは“１”となって各ブランチのスイッチ（第１ブランチではスイッチ４７Ｅとなる）に出力される。例えば、スイッチ４７Ｅでは、選択信号ＳＥＬ“１”に従って端子ｂへの切り替えが行われる（ステップＳ５４）。これにより、後段の制御回路６１には、ＣＲＣ符号判定回路４７ＢのＣＲＣ符号判定フラグＣＦＧを反転させた妨害波検出フラグＪＦＧＢが出力される。
【００９０】
また、全ブランチで妨害波が検出されなかった場合には、ＡＮＤ回路８１の出力すなわち選択信号ＳＥＬは“０”となって各ブランチのスイッチ（第１ブランチではスイッチ４７Ｅとなる）に出力される。例えば、スイッチ４７Ｅでは、選択信号ＳＥＬ“０”に従って端子ａへの切り替えが行われる（ステップＳ５３）。これにより、後段の制御回路６１には、ＮＡＮＤ回路４７Ｃの妨害波検出フラグＪＦＧＡが出力される。この場合には、前述の実施の形態５と同様の処理が実行されることになる。
【００９１】
ここで、第１ブランチを例に挙げると、スイッチ４７Ｅにより端子ｂへの切り替えが行われた場合には、制御回路６１に対して妨害波検出フラグＪＦＧＢが出力される。このため、制御回路６１はその妨害波検出フラグＪＦＧＢに基づいて重み付けを制御する。例えば、妨害波検出フラグＪＦＧＢが“１”すなわちＣＲＣ符号に誤りがあった場合には（ステップＳ５５）、重み付け係数ＣＦ１はその値を“０”に変更されるので、重み付け回路３１では、前述した実施の形態５と同様に重み付け係数をＣＦ２とした重み付け処理が実行される（ステップＳ５６）。
【００９２】
一方、妨害波検出フラグＪＦＧＢが“０”すなわちＣＲＣ符号に誤りがなかった場合には（ステップＳ５５）、重み付け係数ＣＦ１はその値のまま重み付け回路３１に供給され、重み付け回路３１では、前述した実施の形態５と同様に重み付け係数をＣＦ１とした重み付け処理が実行される（ステップＳ５７）。
【００９３】
以上説明したように、実施の形態６によれば、全ブランチ（アンテナ）すべてについて妨害波検出と判定された場合、各ブランチ（アンテナ）について、ＣＲＣ符号に誤りがあった場合を最終的に妨害波検出とし、そのＣＲＣ符号に誤りがなかった場合を最終的に妨害波非検出とするようにしたので、妨害波の影響を受けていないデータ本体ＤＡＴＡを受信しているにも拘わらずデータ本体ＤＡＴＡを無効にする不具合が回避され、受信状況に適したダイバーシチ処理を実現することが可能である。
【００９４】
（実施の形態７）
さて、前述の各実施の形態では、各ブランチにおいて１回でも妨害波の影響が検出されると、そのブランチをダイバーシチ処理から切り離すようにしていたが、以下に説明する実施の形態７のように、妨害波の影響が一定回数に達してから該当するブランチをダイバーシチ処理から切り離すようにしてもよい。なお、この実施の形態７でも、全体構成を前述した実施の形態１の構成（図１参照）とすることから、以下に相違する動作についてのみ説明し、共通する構成については同様の番号を用いてその説明を省略する。
【００９５】
そこで、実施の形態７による動作について説明する。図１５は実施の形態７による制御動作を説明するフローチャートである。図１５において、Ｍ（自然数）は連続して妨害波を検出できなかった数をカウントするための変数であり、Ｎ（自然数）は連続して妨害波を検出できた数をカウントするための変数であり、ｎは妨害波非連続数（変数Ｍの値）、もしくは妨害波連続数（変数Ｎの値）のカウントを許す最大値である。なお、各変数Ｍ，Ｎのカウント処理およびそのカウント値に基づく判断動作は各ブランチの制御回路６１，６２…６３により実行されるものとする。
【００９６】
まず、動作開始時点で変数Ｍが初期化され、その値は“０”に設定される（ステップＳ６１）。続いて変数Ｎが初期化され、その値は“０”に設定される（ステップＳ６２）。そして、各ブランチにおいてデータ受信およびその復調が行われる（ステップＳ６３）。各ブランチにおいて、妨害波が検出された場合（ステップＳ６４）、妨害波非検出の連続数すなわち変数Ｍの値がゼロにクリアされ（ステップＳ６５）、妨害波検出の連続数すなわち変数Ｎが現在の値にさらに１つインクリメントされる（ステップＳ６６）。この後、その変数Ｎと最大値ｎとの比較が行われ、変数Ｎが最大値ｎに達するまでは妨害波の検出動作が繰り返し実行される（ステップＳ６７）。
【００９７】
もし変数Ｎが最大値ｎに達した場合には（ステップＳ６７）、重み付け係数ＣＦ１はその値を“０”に変更されるので、重み付け回路３１では、前述した実施の形態５と同様に重み付け係数をＣＦ２とした重み付け処理が実行される（ステップＳ６８）。
【００９８】
一方、各ブランチにおいて、妨害波が検出されなかった場合（ステップＳ６４）、妨害波検出の連続数すなわち変数Ｎの値がゼロにクリアされ（ステップＳ６９）、妨害波非検出の連続数すなわち変数Ｍが現在の値にさらに１つインクリメントされる（ステップＳ７０）。この後、その変数Ｍと最大値ｎとの比較が行われ、変数Ｍが最大値ｎに達するまでは妨害波の検出動作が繰り返し実行される（ステップＳ７１）。
【００９９】
もし変数Ｍが最大値ｎに達した場合には（ステップＳ７１）、重み付け係数ＣＦ１はその値のまま重み付け回路３１に供給され、重み付け回路３１では、前述した実施の形態５と同様に重み付け係数をＣＦ１とした重み付け処理が実行される（ステップＳ７２）。
【０１００】
以上説明したように、実施の形態７によれば、各ブランチ（アンテナ）について妨害波の検出回数をカウントし、この検出回数が一定回数に達したブランチ（アンテナ）の受信信号をダイバーシチ処理で無効にするようにしたので、インパルスノイズなどによって発生するランダムなビット誤りに対して不用意に受信信号を無効にする不具合を回避することが可能である。
【０１０１】
さて、上述した実施の形態７では、妨害波の連続検出数や妨害波の連続非検出数を比較する最大値ｎを共通の値としていたが、性能などを考慮して異なるように設定してもよく、あるいは、環境に応じてそれぞれ独立して可変とするようにしてもよい。
【０１０２】
（実施の形態８）
さて、前述の各実施の形態では、各ブランチにおいて受信レベルに関係なく妨害波の影響が検出されると、そのブランチをダイバーシチ処理から切り離すようにしていたが、以下に説明する実施の形態８のように、受信レベルに応じて妨害波の影響を加味してダイバーシチ処理から切り離すようにしてもよい。なお、この実施の形態８でも、全体構成を前述した実施の形態１の構成（図１参照）とすることから、以下に相違する構成についてのみ説明し、共通する構成については同様の番号を用いてその説明を省略する。
【０１０３】
まず、構成について説明する。図１６は実施の形態８によるダイバーシチ受信装置の要部を示すブロック図である。ダイバーシチ受信装置は、図１６に示したように、全体構成を前述した実施の形態１と同様にしており、相違する部分を新たに付加された受信レベル判定回路９１，９２…９３としている。
【０１０４】
受信レベル判定回路９１，９２…９３は、各ブランチにおいて対応する受信回路１１，１２…１３から受信信号の受信レベルを入力して、その受信レベルが予め決められた閾値よりも低い場合には妨害波検出回路４１，４２…４３を機能させず、妨害波の影響がないという検出結果を制御回路６１，６２…６３に出力させるものである。
【０１０５】
つぎに、動作について説明する。図１７は実施の形態８による動作を説明するフローチャートである。ダイバーシチ受信装置では、各ブランチにおいてデータ受信が行われると（ステップＳ８１）、各受信レベル判定回路９１，９２…９３において受信信号の受信レベルＬＶＬと予め決められた閾値ＴＨとの比較が行われる（ステップＳ８２）。その結果、受信レベルＬＶＬが閾値ＴＨ以上の高さであれば、前述した実施の形態１〜７のいずれか１つの動作が実行され（ステップＳ８３）、一方、受信レベルＬＶＬが閾値ＴＨよりも低ければ、妨害波検出回路に対して妨害波の影響がないという検出結果を強制的に出力させ、動作モードは妨害波検出動作の停止モードとなる（ステップＳ８４）。
【０１０６】
以上説明したように、実施の形態８によれば、各ブランチ（アンテナ）の受信レベルと予め決められた閾値との比較結果に応じて妨害波の影響を検出する、もしくは検出しないようにしたので、例えばユニークワードの不検出やビット誤り検出符号の誤り判定が妨害波の影響ではなく、受信レベルが低いために生じる誤った妨害波検出が無視され、これによって、不用意に受信信号を無効にする不具合を回避することが可能である。
【０１０７】
【発明の効果】
以上説明したように、この発明によれば、各アンテナを通じて受信された受信信号の伝送データを構成するユニークワード又はビット誤り検出符号に基づいてアンテナ別に妨害波の影響を検出し、複数のアンテナの内で妨害波の影響が検出されたアンテナに受信された受信信号をダイバーシチ処理で無効にし、一方、妨害波の影響が検出されなかったアンテナに受信された受信信号をダイバーシチ処理で有効になるように制御するようにしたので、妨害波の影響を受けた受信信号が最大比合成によるダイバーシチ処理に含まれず、良好な受信入力特性が得られる。その結果、外部から妨害波の影響を受けてもダイバーシチ効果を失うことなく、良好な受信感度を得ることが可能なダイバーシチ受信装置が得られるという効果を奏する。
【０１０８】
つぎの発明によれば、受信信号に含まれるユニークワードを妨害波検出に用いたので、データ本体の直前に妨害波の影響が検出され、このようにしても、妨害波の影響を受けた受信信号が最大比合成によるダイバーシチ処理に含まれず、良好な受信入力特性が得られる。その結果、外部から妨害波の影響を受けてもダイバーシチ効果を失うことなく、良好な受信感度を得ることが可能なダイバーシチ受信装置が得られるという効果を奏する。
【０１０９】
つぎの発明によれば、受信信号に含まれるビット誤り検出符号を妨害波検出に用いたので、データ本体の直後に妨害波の影響が検出され、このようにしても、妨害波の影響を受けた受信信号が最大比合成によるダイバーシチ処理に含まれず、良好な受信入力特性が得られる。その結果、外部から妨害波の影響を受けてもダイバーシチ効果を失うことなく、良好な受信感度を得ることが可能なダイバーシチ受信装置が得られるという効果を奏する。
【０１１０】
つぎの発明によれば、ユニークワードの検出およびビット誤り検出符号の正誤判定を行い、その結果、ユニークワードを検出できず、かつビット誤り検出符号に誤りがあった場合を妨害波検出と判定し、それ以外の場合を妨害波非検出と判定するようにしたので、ユニークワードの受信段階で妨害波の影響があっても一通りデータ本体が受信され、最終的にビット誤り検出符号の受信段階で妨害波の影響がなければ不用意にデータ本体を破棄しなくて済むダイバーシチ受信装置が得られるという効果を奏する。
【０１１１】
つぎの発明によれば、ユニークワードの検出およびビット誤り検出符号の正誤判定を行い、その結果、ユニークワードの不検出とビット誤り検出符号の誤り判定との両方、もしくはいずれか一方が得られた場合を妨害波検出と判定し、それ以外の場合を妨害波非検出と判定するようにしたので、ユニークワードの受信段階すなわちデータ本体の直前、もしくはビット誤り検出符号の受信段階すなわちデータ本体の直後にリアルタイムで妨害波の影響を防止することが可能なダイバーシチ受信装置が得られるという効果を奏する。
【０１１２】
つぎの発明によれば、複数のアンテナすべてについて妨害波検出と判定された場合、各アンテナについて、ビット誤り検出符号に誤りがあった場合を最終的に妨害波検出とし、そのビット誤り検出符号に誤りがなかった場合を最終的に妨害波非検出とするようにしたので、妨害波の影響を受けていないデータ本体を受信しているにも拘わらずデータ本体を無効にする不具合が回避され、受信状況に適したダイバーシチ処理を実現することが可能なダイバーシチ受信装置が得られるという効果を奏する。
【０１１３】
つぎの発明によれば、各アンテナについて妨害波の検出回数をカウントし、この検出回数が一定回数に達したアンテナの受信信号をダイバーシチ処理で無効にするようにしたので、インパルスノイズなどによって発生するランダムなビット誤りに対して不用意に受信信号を無効にする不具合を回避することが可能なダイバーシチ受信装置が得られるという効果を奏する。
【０１１４】
つぎの発明によれば、各アンテナの受信レベルと予め決められた閾値との比較結果に応じて妨害波の影響を検出する、もしくは検出しないようにしたので、例えばユニークワードの不検出やビット誤り検出符号の誤り判定が妨害波の影響ではなく、受信レベルが低いために生じる誤った妨害波検出が無視され、これによって、不用意に受信信号を無効にする不具合を回避することが可能なダイバーシチ受信装置が得られるという効果を奏する。
【０１１５】
つぎの発明によれば、各アンテナの受信レベルと全アンテナの最大受信レベルとに基づいてアンテナ別の重み付け係数を生成し、妨害波の影響が検出されたアンテナについて、そのアンテナの受信信号に重み付けする重み付け係数を制御して、その受信信号をダイバーシチ処理で無効にするようにしたので、データ処理でダイバーシチ処理に対する受信信号の有効、無効を操作することが可能なダイバーシチ受信装置が得られるという効果を奏する。
【図面の簡単な説明】
【図１】この発明に係る実施の形態１によるダイバーシチ受信装置を示すブロック図である。
【図２】実施の形態１による制御動作を説明するフローチャートである。
【図３】実施の形態２による伝送データのフォーマット例を示す図である。
【図４】実施の形態２によるダイバーシチ受信装置の要部を示すブロック図である。
【図５】実施の形態２による制御動作を説明するフローチャートである。
【図６】実施の形態３によるダイバーシチ受信装置の要部を示すブロック図である。
【図７】実施の形態３による制御動作を説明するフローチャートである。
【図８】実施の形態４によるダイバーシチ受信装置の要部を示すブロック図である。
【図９】実施の形態４による妨害波検出方法を説明する図である。
【図１０】実施の形態４による制御動作を説明するフローチャートである。
【図１１】実施の形態５によるダイバーシチ受信装置の要部を示すブロック図である。
【図１２】実施の形態５による妨害波検出方法を説明する図である。
【図１３】実施の形態６によるダイバーシチ受信装置の要部を示すブロック図である。
【図１４】実施の形態６による制御動作を説明するフローチャートである。
【図１５】実施の形態７による制御動作を説明するフローチャートである。
【図１６】実施の形態８によるダイバーシチ受信装置の要部を示すブロック図である。
【図１７】実施の形態８による動作を説明するフローチャートである。
【図１８】従来例によるダイバーシチ受信装置を示すブロック図である。
【符号の説明】
１，２，３  アンテナ、１１，１２，１３  受信回路、２１，２２，２３  復調回路、３１，３２，３３  重み付け回路、４１，４２，４３，４５，４６，４７  妨害波検出回路、４１Ａ，４５Ａ，４６Ａ，４７Ａ  ユニークワーク検出回路、４１Ｂ，４５Ｂ，４６Ｂ，４７Ｂ  ＣＲＣ符号判定回路、４５Ｃ  ＮＯＲ回路、４６Ｃ，４７Ｃ  ＮＡＮＤ回路、４７Ｄ  インバータ、４７Ｅ  スイッチ、８１  ＡＮＤ回路、５１  重み付け係数生成回路、６１，６２，６３  制御回路、７１  合成回路、９１，９２，９３  受信レベル判定回路。
【図１】
0003604859.tif 000002
【図２】
0003604859.tif 000003
【図３】
0003604859.tif 000004
【図４】
0003604859.tif 000005
【図５】
0003604859.tif 000006
【図６】
0003604859.tif 000007
【図７】
0003604859.tif 000008
【図８】
0003604859.tif 000009
【図９】
0003604859.tif 000010
【図１０】
0003604859.tif 000011
【図１１】
0003604859.tif 000012
【図１２】
0003604859.tif 000013
【図１３】
0003604859.tif 000014
【図１４】
0003604859.tif 000015
【図１５】
0003604859.tif 000016
【図１６】
0003604859.tif 000017
【図１７】
0003604859.tif 000018
【図１８】
0003604859.tif 000019